(57)【要約】【課題】カード収納部内にメモリーカードを係止させるカード係止部を確実に動作させることによって、カード収納部に収納されたメモリーカードが脱落することを防止すると共に、メモリーカードを容易に取り出すことができるカードケースを提供する。【解決手段】メモリーカードを収納するカード収納部を有するカードケースであって、前記カードケース本体には、前記カード収納部内にフックを係止させるカード係止部を備え、前記フックは、メモリーカードの移動方向と同じ方向に摺動可能とされ、メモリーカードと係止する係止部と、押圧部と、弾性変形可能で前記カード係止部におけるガイド部の周囲を移動する作動子を先端に形成した作動片とを備え、前記カード係止部は、ガイド部と三角スロープで構成され、前記ガイド部は、三角柱形状であって、待機部となる凹部を備え、前記三角スロープは、前記待機部の近傍に傾斜面を形成しているものである。【選択図】図１
2008143568.tif 000002
【特許請求の範囲】
【請求項１】
メモリーカードを収納するカード収納部を有するカードケースであって、前記カードケース本体には、前記カード収納部内に収納されるメモリーカードと共に移動するフックを係止させるカード係止部を備え、前記フックは、前記カード収納部に挿入するメモリーカードの移動方向と同じ方向に摺動可能とされ、メモリーカードと係止する係止部と、メモリーカード挿入時にメモリーカードに押圧される押圧部と、弾性変形可能で前記押圧部がメモリーカードによって押圧される毎に前記カード係止部におけるガイド部の周囲を移動する作動子を先端に形成した作動片とを備え、前記カード係止部は、前記ガイド部と三角スロープで構成され、前記ガイド部は、三角柱形状で、その三角柱の一側面に待機部となる凹部が形成され、前記三角スロープは、前記待機部の近傍に直角三角形状となる傾斜面を形成し、前記作動子を常に所定の方向に移動させ、逆戻りを防止することを特徴としたカードケース。
【請求項２】
請求項１において、前記カード係止部は、前記作動子の移動を補助するガイド補助部を更に備え、前記ガイド補助部は、前記待機部の近傍、且つ、前記三角スロープの壁面と接して配置されていることを特徴としたカードケース。
【請求項３】
請求項１又は２において、前記カードケースには、収納されるメモリーカードの表面が見えるように開口窓を備えたことを特徴としたカードケース。
【発明の詳細な説明】
【技術分野】
【０００１】
本発明は、メモリーカードを収納するカード収納部を有するカードケースに関するものである。
【背景技術】
【０００２】
従来、メモリーカードを収納する収納ケースとして、特開２００１−１０１３６０号公報「半導体メモリカード収納ケース」があった。この収納ケースは、メモリーカードより僅かに大きい凹部が形成され、その凹部の両側面に係合部となる凸部を備え、該凸部によってメモリーカードを保持し収納するものであった。しかしながら、この収納ケースでは、カードケース自体に衝撃が加わった場合、メモリーカードと収納ケースとの係合がはずれ、メモリーカードが脱落することによって、紛失する恐れがあるものである。
【特許文献１】特開２００１−１０１３６０号公報
【発明の開示】
【発明が解決しようとする課題】
【０００３】
そこで、本発明は、上記従来技術の問題点に斯かる実情に鑑みなされたもので、カード収納部内にメモリーカードを係止させるカード係止部を確実に動作させることによって、カード収納部に収納されたメモリーカードが脱落することを防止すると共に、メモリーカードを容易に取り出すことができるカードケースを提供することを課題とする。
【課題を解決するための手段】
【０００４】
請求項１記載の発明は、メモリーカードを収納するカード収納部を有するカードケースであって、前記カードケース本体には、前記カード収納部内に収納されるメモリーカードと共に移動するフックを係止させるカード係止部を備え、前記フックは、前記カード収納部に挿入するメモリーカードの移動方向と同じ方向に摺動可能とされ、メモリーカードと係止する係止部と、メモリーカード挿入時にメモリーカードに押圧される押圧部と、弾性変形可能で前記押圧部がメモリーカードによって押圧される毎に前記カード係止部におけるガイド部の周囲を移動する作動子を先端に形成した作動片とを備え、前記カード係止部は、前記ガイド部と三角スロープで構成され、前記ガイド部は、三角柱形状で、その三角柱の一側面に待機部となる凹部が形成され、前記三角スロープは、前記待機部の近傍に直角三角形状となる傾斜面を形成し、前記作動子を常に所定の方向に移動させ、逆戻りを防止することを特徴とする。
【０００５】
請求項２記載の発明は、請求項１において、前記カード係止部は、前記作動子の移動を補助するガイド補助部を更に備え、前記ガイド補助部は、前記待機部の近傍、且つ、前記三角スロープの壁面と接して配置されていることを特徴とする。
【０００６】
請求項３記載の発明は、請求項１又は２において、前記カードケースには、収納されるメモリーカードの表面が見えるように開口窓を備えたことを特徴とする。
【発明の効果】
【０００７】
請求項１記載の発明によれば、メモリーカードを収納するカード収納部を有するカードケースであって、カード収納部内にメモリーカードを係止させるカード係止部を備え、カード係止部は、ガイド部に作動片の待機部となる凹部を有し、メモリーカードと共に移動するフックは、メモリーカードと係止する係止部と、メモリーカードに押圧される押圧部と、ガイド部の周囲を移動する作動子を先端に形成した作動片とを備えることにより、該カード係止部を確実に動作させることができ、カード収納部に収納されたメモリーカードの脱落を防止すると共に、容易に取り出すことを可能とするカードケースを提供することができる。
【０００８】
請求項２記載の発明によれば、前記カード係止部は、前記作動子の移動を補助するガイド補助部を備えることによって、作動子をより確実に所定の方向へと移動させることができる。
【０００９】
請求項３記載の発明によれば、前記カードケースには、収納されるメモリーカードの表面が見えるように開口窓を備えることによって、収納されているメモリーカードを確認することができる。
【発明を実施するための最良の形態】
【００１０】
メモリーカードを収納するカード収納部を有するカードケースであって、前記カードケース本体には、前記カード収納部内に収納されるメモリーカードと共に移動するフックを係止させるカード係止部を備え、前記フックは、前記カード収納部に挿入するメモリーカードの移動方向と同じ方向に摺動可能とされてメモリーカードと係止する係止部と及びメモリーカード挿入時にメモリーカードに押圧される押圧部と、弾性変形可能で前記押圧部がメモリーカードによって押圧される毎に前記カード係止部におけるガイド部の周囲を移動する作動子を先端に形成した作動片とを備え、前記カード係止部は、前記ガイド部と三角スロープで構成され、前記ガイド部は、三角柱形状で、その三角柱の一側面に待機部となる凹部が形成され、前記三角スロープは、前記待機部の近傍に直角三角形状となる傾斜面を形成し、前記作動子を常に所定の方向に移動させることにより逆戻りを防止させ、作動子を確実に移動させるものである。
【００１１】
また、前記カード係止部は、前記作動子の移動を補助するガイド補助部を備え、作動子の移動を補助することもある。そして、前記カードケースには、収納されるメモリーカードの表面が見えるように開口窓を備えることもある。
【実施例１】
【００１２】
以下、図を参照して、本発明を適用した実施の形態について説明する。図１及び図２を用いて、カードケースについて説明する。図１は、カードケースの外観を示す斜視図面で、図２は、カードケースの裏面の外観を示す斜視図面である。
【００１３】
カードケース１０は、厚肉方形状に形成されメモリーカード７４を収納可能とするカードケース本体１２と、カードケース本体１２に回動自在に軸支されカードケース本体１２の上面を覆う薄肉方形状に形成された蓋２４とからなり、いわゆる２つ折りの形状に形成されている。また、このカードケース１０は、収納するメモリーカード７４を使用可能な装置を示唆及び連想させる形状に模して形成されたものであり、実施例のカードケース１０は、ゲーム機で使用されるメモリーカード７４及びゲームプログラムを記憶したメモリーカード７４（ゲームカートリッジ）を収納可能としたものであって、そのゲーム機を模した形状で形成され、またそのゲーム機よりも小型に形成されている。そしてカードケース本体１２には、ストラップ８２を巻着する為のストラップ用穿孔３０が２つ形成され、該ストラップ用穿孔３０には、小型のストラップ８２が取り付けられている。
【００１４】
また、このカードケース１０に収納されるメモリーカード７４は、薄板方形状に形成され、メモリーカード７４の裏面側の端部には、接続端子８０が形成されている。また、このメモリーカード７４の裏面側の長手方向に一辺の端部には、後述するフック６０の押圧部７０を押圧する方形状の切欠部７６が形成され、また切欠部７６の近傍には、フック６０の係止部と係合する方形状の凹部７８が形成されている。
【００１５】
そして、このカードケース１０は、メモリーカード７４を収納する際に、該メモリーカード７４を押圧して挿入することによって、カードケース１０内にメモリーカード７４を係止させて収納でき、またこのカードケース１０からメモリーカード７４を取り出す際にも、該メモリーカード７４を押圧することによって、メモリーカード７４を抓んで取り出すことができる程度に該メモリーカード７４を突出させることができるカード係止部を有している。
【００１６】
次に図１及び２に加え、図３となるカードケース１０の分解斜視図面を用いて、カードケース本体１２の詳細を説明する。厚肉方形状に形成されたカードケース本体１２は、上面板１４と仕切り板４０と基部２６とフック６０と圧縮バネ５８で構成され、その内部は中空に形成されている。
【００１７】
カードケース本体１２の上面板１４は、薄肉方形状に形成され、その上面に操作ボタン１８を模した凸部が形成され、この上面板１４の長手方向の一辺の両端には、蓋２４を回動自在に軸支するヒンジ部２２が形成されている。また、この上面板１４の略中央には、カードケース１０に収納されたメモリーカード７４が見えるように、メモリーカード７４と略同じ幅で、メモリーカード７４よりやや長さが短い方形状の開口である開口窓２０が形成されている。
【００１８】
次に基部２６は、方形状で上面を開口した箱形状に形成され、開口した上面を上面板１４が覆うように固着されている。また、上面板１４のヒンジ部２２が形成された面に隣接する側壁の中央には、挿入されるメモリーカード７４の幅よりも僅かに大きい幅で、二枚のメモリーカード７４の厚みとなる長さより僅かに長い開口となる開口部３２が形成されている。そして、基部２６の底面の開口部３２が形成された側の一辺には、緩やかに湾曲した円弧状の切欠となる押下用切欠２８が形成されている。また、基部２６の内側底面には、短手方向に線条の２つの凸部が平行に並べて形成され、これは、後述するフック６０の摺動溝７２と摺動自在に係合される第一摺動レール３８とされている。
【００１９】
尚、ヒンジ部２２を介した蓋２４を設けない場合もあり、カードケース１０の外観は、メモリーカード７４を使用するゲーム機の外観に似せるものである。
【００２０】
次に、仕切り板４０は、上面板１４と基部２６からなる箱形状の内部に配置され、仕切り部４２と機構板部４４からなる。この仕切り部４２は、断面Ｈ型状で、該基部２６の短手方向より僅かに短い長さで形成されている。また、仕切り部４２のＨ型形状の中央の薄板の一方の辺には、基部２６と同様に緩やかに湾曲した円弧状の切欠となる押下用切欠４６が形成されている。この仕切り板４０の仕切り部４２は、該基部２６の開口部３２に接続されるように固着され、該基部２６の開口部３２を、この仕切り板４０の仕切り部４２で、第一カード収納部３４と第二カード収納部３６に仕切っているものである。
【００２１】
また、仕切り板４０の一方の側面には、図１又は図４（Ａ）に示すように方形状の切欠４８が形成されている。この方形状の切欠４８より、第一カード収納部３４及び第二カード収納部３６内の各々に後述するフック６０の係止部６８及び押圧部７０の各々が突出して配設されるものである。
【００２２】
また、機構板部４４は、仕切り部４２のそのＨ型の先端の辺の一つから、Ｈ型の中央の薄板と同じ方向に向けて薄板方形状に膨出して形成されている。この機構板部４４の内側面には、後述するフック６０を摺動自在とする第二摺動レール５０と、該フック６０の作動子６６の移動をガイドするガイド部５２と、該作動子６６の移動を補助するガイド補助部５６と、該フック６０の作動子６６が逆戻りすることを防止する三角スロープ８４とが形成されている。この第二摺動レール５０は、該仕切り部４２の端辺と平行な凹部が形成され、その凹部の中央に該凹部と平行な線条となる凸部が形成され、この第二摺動レール５０は、後述するフック６０の摺動溝７２と摺動自在に係合されるものである。
【００２３】
次に機構板部４４の内側面に形成されたガイド部５２は、図４（Ａ）に示したように、機構板部４４の内側面に第二摺動レール５０と平行に略直角２等辺三角柱形状に膨出し、その直角２等辺三角形柱の第二摺動レール５０と直角となる一側面に待機部５４となる凹部が形成されている。
【００２４】
また、ガイド補助部５６は、ガイド部５２と同様に機構板部４４の内側面に第二摺動レール５０と直角となる向きに線条に膨出させ、その線条に膨出した略中央に該ガイド部５２方向に向けて三角柱状に膨出した突出部が形成されている。
【００２５】
そして、三角スロープ８４は、ガイド部５２の待機部５４の近傍に待機部５４から第二摺動レール５０側となる内側に向けて徐々に高くなる傾斜面を有する直角三角形状に膨出している。
【００２６】
図３及び図４（Ｂ）を用いてフック６０の説明を行う。フック６０は、フック本体６１と、バネ固定凸部６２と、作動片６４と、係止部６８及び押圧部７０からなり、フック本体６１は、薄板方形状に形成され、フック本体６１の短手方向の側面の中央から棒状に膨出するバネ固定凸部６２が形成されている。このバネ固定凸部６２は、圧縮バネ５８に挿嵌するものである。
【００２７】
また、フック６０の押圧部７０は、フック本体６１の表面側で長手方向の一方の端部から厚肉方形状に膨出し、その膨出した先端から更にフック本体６１と平行な方向で、フック本体６１から突出するように薄肉方形状に膨出させることによって先端部が延設され、この延設された先端部の先端の辺の両端からフック本体６１の表面と相反する方向に向けて各々薄肉方形状に膨出して形成されている。この押圧部７０は、各々第一カード収納部３４及び第二カード収納部３６に突出し、第一カード収納部３４又は第二カード収納部３６に挿入されるメモリーカード７４の切欠部７６より押圧されるものである。
【００２８】
そして、フック６０の係止部６８は、フック本体６１の表面側で長手方向の他方の端部に、該短手方向の端辺と平行な向きで線条に膨出し、線条に膨出した両端からフック本体６１と平行な方向となる押圧部７０に向けて膨出し、該棒状の先端には、フック６０の表面と相反する向きに向けて半円形状に膨出されて形成されている。この係止部６８は、押圧部７０と同様に、各々第一カード収納部３４及び第二カード収納部３６に突出し、第一カード収納部３４又は第二カード収納部３６に挿入されるメモリーカード７４の凹部７８と係合してメモリーカード７４を係止するものである。
【００２９】
さらに、フック６０の作動片６４は、係止部６８が形成されたフック本体６１の裏面側となる端部中央から、フック本体６１の裏面と相反する向きに向けて棒状に膨出し、該棒の先端より、フック本体６１と平行な方向で対向する端辺の近傍まで膨出させて形成され、この作動片６４は、弾性変形可能とされている。そして、作動片６４の先端には棒形状に膨出した作動子６６が形成されている。
【００３０】
また、フック６０の係止部６８、押圧部７０の両側面には、第一摺動レール３８及び第二摺動レール５０と係合する溝となる摺動溝７２が夫々形成されている。
【００３１】
次に圧縮バネ５８の説明を行う。圧縮バネ５８の一方は、フック６０のバネ固定凸部６２に挿嵌され、他方は、基部２６の内側壁面と当接されている。また第一カード収納部３４又は第二カード収納部３６の何れかにメモリーカード７４を挿入すると、フック６０の押圧部７０がメモリーカード７４から押圧され、該フック６０は第一摺動レール３８及び第二摺動レール５０上を摺動することによって、フック６０のバネ固定凸部６２に挿嵌されている圧縮バネ５８は、圧縮された状態となるものである。また、メモリーカード７４を取り出す際には、該圧縮バネ５８の復元力によって、フック６０を元の位置へと押し戻し、メモリーカード７４をカードケース１０から突出させるものである。
【００３２】
図５〜７を用いて、カードケース１０にメモリーカード７４を挿入及び取出しする際の、カード係止部となる仕切り板４０に形成されたガイド部５２及びガイド補助部５６と三角スロープ８４と、フック６０に設けた作動片６４及び作動子６６の動きについて説明する。本発明のカードケース１０は、第一カード収納部３４若しくは第二カード収納部３６にいずれに挿入しても、正常に動作するようになっている。
【００３３】
例えば、カードケース１０の第一カード収納部３４にメモリーカード７４を挿入すると、図５（Ａ）に示すように、カードケース１０よりメモリーカード７４が約６ｍｍ突出した位置で、メモリーカード７４に形成された凹部７８と、フック６０の係止部６８とが係止状態となる。この時に、２枚目となるメモリーカード７４を第二カード収納部３６に挿入しても、図５（Ａ）の如く、２枚目のメモリーカード７４も１枚目のメモリーカード７４と同様にフック６０に形成された他方の係止部６８と係止状態となるものである。
【００３４】
また、この時点でのフック６０は、図面に対して最も上に位置し、該フック６０の作動片６４は弾性変形していない通常の状態である。また、作動片６４の作動子６６の中心は、ガイド部５２の直上で、僅かに傾斜面よりの位置となる位置Ａに位置している。
【００３５】
次に、図５（Ａ）の状態から、メモリーカード７４を指の腹で押圧し、押下用切欠４６が形成されている位置まで挿入することによって、フック６０の押圧部７０がメモリーカード７４に押圧されることにより、フック６０は図面に対して下方へと摺動される。
【００３６】
メモリーカード７４の切欠部７６がフック６０の押圧部７０を押圧し、フック６０が下方へと摺動すると、図５（Ｂ）の如くフック６０の作動片６４を弾性変形させながら、作動子６６は、ガイド部５２の斜面の下方位置となる位置Ｂまで移動するようになる。その後、更に、フック６０がメモリーカード７４によって更に押圧されると、最も下の位置まで摺動し、作動子６６は、ガイド部５２の斜面から外れ、弾性変形された作動片６４の復元力によって、図６（Ａ）の如く、作動子６６は、内側方向へと移動され、ガイド補助部５６の外側の傾斜面の位置となる位置Ｃと当接するようになるものである。
【００３７】
その後、メモリーカード７４の押圧を解除すると、フック６０は、図６（Ｂ）に示すように圧縮バネ５８の復元力によって、やや上方へと移動するものである。フック６０の作動子６６は、位置Ｃとなるガイド補助部５６の斜面から移動し、その直上に位置する待機部５４と当接状態となり、該フック６０が上方へと移動することを抑止する。これにより、図６（Ｂ）に示すようにカードケース１０内にメモリーカード７４を収納することができるものである。また、このようにカードケース１０内にメモリーカード７４を埋没するように収納されることによって、不意の衝撃によるメモリーカード７４の脱落を防止することができるものである。
【００３８】
このように、図５（Ａ）に示すように作動子６６が位置Ａに位置する時に、メモリーカード７４を押圧することによって、フック６０が下方へと摺動したことにより、作動子６６は、位置Ｂ、位置Ｃを介して待機部５４へと導かれ移動する一連の動作を行うものである。作動子６６が、この図６（Ｂ）の如く、待機部５４に位置するときに、２枚目のメモリーカード７４を挿入した場合には、フック６０の移動は無く、２枚目のメモリーカード７４はカードケース１０内で直接係止されるようになる。
【００３９】
また、図６（Ｂ）の如く、カードケース１０内に収納されたメモリーカード７４を取り出す時には、再びメモリーカード７４を指の腹で、押下用切欠４６が形成されている位置まで押圧することによってメモリーカード７４を取り出すことができるものである。
【００４０】
フック６０の作動子６６が待機部５４に位置する時に、メモリーカード７４が押圧されると、メモリーカード７４の切欠部７６がフック６０の押圧部７０を押圧し、フック６０は図面下方へと摺動する。これにより、作動子６６は、待機部５４から下方へと移動を始めるが、作動片６４の弾性変形の復元力によって、作動子６６は、内側下方方向へと移動するようになる。また、待機部５４の内側下方には待機部５４から内側に向けて徐々に高くなる傾斜面を有する三角スロープ８４が形成されると共に、該三角スロープ８４の壁面とガイド補助部５６の内側の斜面とが接して形成されており、該作動子６６は、三角スロープ８４の斜面上と、ガイド補助部５６における突出部の内側の斜面とに夫々当接され、該三角スロープ８４の斜面上を移動し乗り越えるように導かれるものである。そして、この三角スロープ８４の壁面によって、作動子６６は、逆戻りすることがなく確実に内側の方向へと作動子６６を移動させることができる。三角スロープ８４を乗り越えた作動子６６は、弾性変形された復元力によって、元の形状へと復帰し、図７（Ａ）に示すように、ガイド補助部５６の内側の斜面上となる位置Ｄで当接するものである。
【００４１】
その後、メモリーカード７４の押圧を状態すると、フック６０は、圧縮バネ５８の復元力によって、図６（Ａ）に示す初期状態の位置まで復帰するようになる。これにより、指で抓める程度（６ｍｍ）までメモリーカード７４が突出させることによって、メモリーカード７４を取り出すことができるものである。
【００４２】
このように、図６（Ｂ）に示すように作動子６６がガイド部５２の待機部５４に位置する時に、メモリーカード７４を押圧することによって、フック６０が内側下方へと移動し、逆戻りを防止する三角スロープ８４を越えて、位置Ｄを介して、初期状態となる位置Ａまで作動子６６が移動することによって、メモリーカード７４をカードケース１０より取り出すことができるようになるものである。
【００４３】
また、作動子６６が待機部５４に長期間に渡って位置されると、作動片６４は、長期間に渡って弾性変形された為、やや外側に開いた状態に癖がつくことがあるものの、作動片６４がやや外側に開いた状態に癖がついた場合においても、ガイド補助部５６に形成した三角柱の突出部におけるガイド部５２側の頂点を待機部５４に係止された移動子６６の位置よりも第二摺動レール５０から離れた位置としておくことにより、移動子６６は、待機部５４の内側下方に備えた三角スロープ８４の斜面上とガイド補助部５６における突出部の内側の斜面とに夫々当接され、移動子６６を確実に所定の方向へと移動させ導くことができ、作動子６６の逆戻りを防止することができるものである。したがって、カード係止部を確実に動作させることができ、収納されたカードケース１０が取り出せなくなるなどの不具合が発生することはないものである。
【００４４】
以上説明したように構成することにより、カード収納部内にメモリーカードを係止させるカード係止部を確実に動作させることによって、カード収納部に収納されたメモリーカードが脱落することを防止すると共に、メモリーカードを容易に取り出すことができるカードケースを提供することができる。また、好ましい実施例を挙げて本発明を説明したが、本発明はその実施例に限定されるものではなく、本発明の要旨の範囲内で種々に改変できる。
【図面の簡単な説明】
【００４５】
【図１】本発明に係るカードケースの外観を示す斜視図面である。
【図２】本発明に係るカードケースの裏面を示す斜視図面である。
【図３】本発明に係るカードケースの分解斜視図面である。
【図４】本発明に係るカードケースのカード係止部の動きを示す断面図である。
【図５】本発明に係るカードケースのカード係止部の動きを示す断面図である。
【図６】本発明に係るカードケースのカード係止部の動きを示す断面図である。
【図７】本発明に係るカードケースのカード係止部の動きを示す断面図である。
【符号の説明】
【００４６】
１０  カードケース
１２  カードケース本体
１４  上面板
１８  操作ボタン
２０  開口窓
２２  ヒンジ部
２４  蓋
２６  基部
２８  押下用切欠
３０  ストラップ用穿孔
３２  開口部
３４  第一カード収納部
３６  第二カード収納部
３８  第一摺動レール
４０  仕切り板
４２  仕切り部
４４  機構板部
４６  押下用切欠
４８  切欠
５０  第二摺動レール
５２  ガイド部
５４  待機部
５６  ガイド補助部
５８  圧縮バネ
６０  フック
６２  バネ固定凸部
６４  作動片
６６  作動子
６８  係止部
７０  押圧部
７２  摺動溝
７４  メモリーカード
７６  切欠部
７８  凹部
８０  接続端子
８２  ストラップ
８４  三角スロープ
【図１】
2008143568.tif 000003
【図２】
2008143568.tif 000004
【図３】
2008143568.tif 000005
【図４】
2008143568.tif 000006
【図５】
2008143568.tif 000007
【図６】
2008143568.tif 000008
【図７】
2008143568.tif 000009